(57)【要約】【課題】  装着者の首に装着して身体への送風を行う首掛け型送風装置であって、装着者の身体に十分な強さによる送風を行うとともに、装着者が着用している衣服内に籠る熱気を緩和する首掛け型送風装置を提供する。【解決手段】  首掛け型送風装置１は、第１の吸送気ユニット２と、第２の吸送気ユニット３と、外被４とを有している。第１の吸送気ユニット２及び第２の吸送気ユニット３は、それぞれ吸送風機２１、３１と、第１の吸送気口２２、３２と、第２の吸送気口２３、３３とを有しており、装着者Ｘの首の両側から吸気及び／又は送気を行う。第１の吸送気口２２、３２は、装着者Ｘの首に首掛け型送風装置１を装着した際に、装着者Ｘの胸部に向かう方向に開口している。外被４は、装着者Ｘの首を取り囲める形状に形成されている。通風路５は、第１の吸送気ユニット２と第２の吸送気ユニット３との間で風を流通させる。【選択図】      図３
0003220810.tif 000002
【実用新案登録請求の範囲】
【請求項１】
装着者の首に装着して装着者の身体への送風を行う首掛け型送風装置であって、第１の吸送気ユニットと、第２の吸送気ユニットと、外被とを有しており、該首掛け型送風装置を装着者の首に装着した際に、該第１の吸送気ユニットは、該装着者の首の一側側に位置し、該第２の吸送気ユニットは該装着者の首の他側側に位置するように、該首掛け型送風装置において配置されており、該装着者の首の両側から吸気及び／又は送気を行うようになっていて、該第１の吸送気ユニット及び該第２の吸送気ユニットは、それぞれ吸送風機と、第１の吸送気口と、第２の吸送気口とを有しており、該吸送風機は、該第１の吸送気口を介して該首掛け型送風装置の内部に外部から気体を取り込み、該第２の吸送気口を介して該首掛け型送風装置の内部から外部へと風を送り出し、及び／又は、該第２の吸送気口を介して該首掛け型送風装置の内部に外部から気体を取り込み、該第１の吸送気口を介して該首掛け型送風装置の内部から外部へと風を送り出すための吸送風機であり、該第１の吸送気口は、該首掛け型送風装置の内部に外部から気体を吸い込むための入口であり、及び／又は該首掛け型送風装置の内部から外部へと気体を送り出すための出口であって、該第２の吸送気口は、該首掛け型送風装置の内部に外部から気体を吸い込むための入口であり、及び／又は該首掛け型送風装置の内部から外部へと気体を送り出すための出口であって、該装着者の首に該首掛け型送風装置を装着した際に、該装着者の頭部に向かう方向に開口させており、該外被は、該首掛け型送風装置を構成する部材を内蔵するとともに、通風路をその内部に設けるための中空の部材であって、該装着者の首を取り囲める形状に形成されており、該通風路は、該第１の吸送気ユニットと該第２の吸送気ユニットとの間で風を流通させるための通路であって、該第１の吸送気ユニットと該第２の吸送気ユニットとを連結していることを特徴とする首掛け型送風装置。
【請求項２】
請求項１に記載した首掛け型送風装置であって、前記装着者の首に該首掛け型送風装置を装着した際に、前記第１の吸送気口が該装着者の胸部に向かう方向に開口されていることを特徴とする首掛け型送風装置。
【請求項３】
請求項１に記載した首掛け型送風装置であって、前記装着者の首に該首掛け型送風装置を装着した際に、前記第１の吸送気口が該装着者の胸部に位置するように延伸するための延伸部材が設けられていることを特徴とする首掛け型送風装置。
【考案の詳細な説明】
【技術分野】
【０００１】
本考案は、装着者の首に装着して、装着者の身体への送風を行うとともに、装着者が着用している衣服内に籠る熱気を緩和するための首掛け型送風装置に関する。
【背景技術】
【０００２】
従来、特に装着者の首に装着して、装着者の首や顔といった頭部への送風を行う首掛け型送風装置が提供されているところであり、下記の様に様々な態様からなる首掛け型送風装置が提供されている。即ち、まず、送風する首飾りが提案されている（例えば、下記の特許文献１を参照。）。
【０００３】
次に、チューブ形態を有し、長さ方向に沿って複数の風排出口が形成される曲線状の首掛け部、前記首掛け部と内部が連通し、ファンが設けられて前記首掛け部の内部に風を送る風発生部、及び前記ファンの回転速度を調節する制御部を含み、前記風発生部を通して流入された風は前記制御部によって強さが可変しつつ前記風排出口を通して排出されることを特徴とするネックレス型扇風機が提案されている（例えば、下記の特許文献２を参照。）。
【０００４】
そして、人体の首回りに空気を送風する人体用送風装置において、人体の首の周囲に沿って延びるように形成され、内部に空気を流通可能な通風部材と、通風部材内に外部の空気を送り込む送風ファンとを備え、通風部材には人体の首に向かって空気を吐出する複数の空気吐出孔を互いに通風部材の長手方向に間隔をおいて設けたことを特徴とする人体用送風装置が提案されている（例えば、下記の特許文献３を参照。）。
【０００５】
更に、人体面に沿って携帯される本体ケーシングと、この本体ケーシングの外周部位置から人体面方向に空気を吹き出す空気吹出部と、上記本体ケーシングの適宜位置から空気を吸込む空気吸込部と、上記本体ケーシング内の上記空気吸込部から空気吹出部に到る送風通路に設けられた送風手段とからなる携帯型人体熱交換装置であって、該空気吹出部が、本体ケーシング外周部の開口に接続された送風パイプと、この送風パイプの先端に設けられた人体の首部に掛けることができる空気吹出パイプとからなる携帯型人体熱交換装置が提案されている（特に、下記の特許文献４を参照。）。
【０００６】
上記のような首掛け型送風装置は、床面に設置して用いる扇風機のような据え置き型の送風装置とは異なり、常に装着者に近い位置から送風することができるため、特に装着者が移動する際や外出する際における暑さ対策として好適である。また、装着者が移動する際や外出する際における暑さ対策として、例えば送風機を取り付けた衣類等も提案されているが、その着脱に時間を要したり、あるいはその重量のため装着者の身体に負担がかかったりすることがあった。これに対して、上記のような首掛け型送風装置は、送風機を取り付けた衣類等とは異なり、装着者が首に装着するだけであるから、簡便に着脱することができるとともに、装着者の身体に負担がかかることも少ないため、好適である。
【先行技術文献】
【特許文献】
【０００７】
【特許文献１】特開２０１４−２３６９４５号公報
【特許文献２】特表２０１８−５０７９４８号公報
【特許文献３】特開２００８−２８６０１４号公報
【特許文献４】特開平１１−１８２４８７号公報
【考案の概要】
【考案が解決しようとする課題】
【０００８】
しかしながら、上記の従来技術に係る首掛け型送風装置は、装着者の頭部に対し十分な強さによる送風を行うことが困難であった。そのため、上記の従来技術に係る首掛け型送風装置は、必ずしも装着者が満足する清涼感を頭部に得ることができるものではなかった（例えば、上記の特許文献１ないし４を参照。）。そこで、本考案の解決しようとする第１の課題は、装着者の首に装着して装着者の身体への送風を行う首掛け型送風装置であって、装着者の身体に対して十分な強さによる送風を行うことができる首掛け型送風装置を提供することにある。
【０００９】
また、一般に装着者の着用している衣服内には熱気が籠り易いところであるが、上記の従来技術に係る首掛け型送風装置にあっては、装着者が着用している衣服内に籠る熱気を吸排気するものではなかった。そうすると、装着者は、頭部に清涼感を得ることができたとしても、身体全体で清涼感を得ることが困難であった（例えば、上記の特許文献１ないし４を参照。）。そこで、本考案の解決しようとする第２の課題は、装着者の首に装着して装着者の身体への送風を行う首掛け型送風装置であって、装着者が着用している衣服内に籠る熱気を緩和することができる首掛け型送風装置を提供することにある。
【課題を解決するための手段】
【００１０】
本考案は、上記の各課題を解決するために提案されたものであり、以下の構成を有するものである。以下では、本考案の構成を理解するのを補助するため、本願に添付した図面に表示した番号及び符号をあわせて記載する。
【００１１】
請求項１に係る首掛け型送風装置（１）は、装着者の首に装着して装着者の身体への送風を行う首掛け型送風装置であって、第１の吸送気ユニット（２）と、第２の吸送気ユニット（３）と、外被（４）とを有している。首掛け型送風装置（１）を装着者（Ｘ）の首に装着した際に、第１の吸送気ユニット（２）は、装着者（Ｘ）の首の一側側に位置し、第２の吸送気ユニット（３）は装着者（Ｘ）の首の他側側に位置するように、首掛け型送風装置（１）において配置されており、装着者（Ｘ）の首の両側から吸気及び／又は送気を行うようになっている。第１の吸送気ユニット（２）及び第２の吸送気ユニット（３）は、それぞれ吸送風機（２１、３１）と、第１の吸送気口（２２、３２）と、第２の吸送気口（２３、３３）とを有している。吸送風機（２１、３１）は、第１の吸送気口（２２、３２）を介して首掛け型送風装置（１）の内部に外部から気体を取り込み、第２の吸送気口（２３、３３）を介して首掛け型送風装置（１）の内部から外部へと風を送り出し、及び／又は、第２の吸送気口（２３、３３）を介して首掛け型送風装置（１）の内部に外部から気体を取り込み、第１の吸送気口（２２、３２）を介して首掛け型送風装置（１）の内部から外部へと風を送り出すための吸送風機である。第１の吸送気口（２２、３２）は、首掛け型送風装置（１）の内部に外部から気体を吸い込むための入口であり、及び／又は首掛け型送風装置（１）の内部から外部へと気体を送り出すための出口である。第２の吸送気口（２３、３３）は、首掛け型送風装置（１）の内部に外部から気体を吸い込むための入口であり、及び／又は首掛け型送風装置（１）の内部から外部へと気体を送り出すための出口であって、装着者（Ｘ）の首に首掛け型送風装置（１）を装着した際に、装着者（Ｘ）の頭部に向かう方向に開口させている。外被（４）は、首掛け型送風装置（１）を構成する部材を内蔵するとともに、通風路（５）をその内部に設けるための中空の部材であって、装着者（Ｘ）の首を取り囲める形状に形成されている。通風路（５）は、第１の吸送気ユニット（２）と第２の吸送気ユニット（３）との間で風を流通させるための通路であって、第１の吸送気ユニット（２）と第２の吸送気ユニット（３）とを連結している。
【００１２】
請求項２に係る首掛け型送風装置（１）は、請求項１に記載した首掛け型送風装置であって、装着者（Ｘ）の首に首掛け型送風装置（１）を装着した際に、第１の吸送気口（２２、３２）が装着者（Ｘ）の胸部に向かう方向に開口されている。
【００１３】
請求項３に係る首掛け型送風装置（１）は、請求項１に記載した首掛け型送風装置であって、装着者（Ｘ）の首に首掛け型送風装置（１）を装着した際に、第１の吸送気口（２２、３２）が装着者（Ｘ）の胸部に位置するように延伸するための延伸部材（８）が設けられている。
【考案の効果】
【００１４】
本考案に係る首掛け型送風装置は、上記の通りの構成であるから、以下のような効果を奏することができる。
【００１５】
まず、請求項１に係る首掛け型送風装置（１）は、通風路（５）が第１の吸送気ユニット（２）と第２の吸送気ユニット（３）との間を連結しているため、第１の吸送気ユニット（２）と第２の吸送気ユニット（３）との間で風が流通することになる。そうすると、本考案の考案者の得た知見によれば、吸送風機（２１、３１）によって、第１の吸送気口（２２、３２）及び／又は第２の吸送気口（２３、３３）を介して首掛け型送風装置（１）の内部から装着者（Ｘ）の身体に対して送り出される風の強さが増大し、装着者（Ｘ）が満足する清涼感を頭部に得ることができた。従って、請求項１に係る首掛け型送風装置は、装着者の首に装着して装着者の身体への送風を行う首掛け型送風装置であって、装着者の身体に対して十分な強さによる送風を行うことができる首掛け型送風装置という本考案の解決しようとする第１の課題を解決することができる。
【００１６】
次に、請求項２に係る首掛け型送風装置（１）は、装着者（Ｘ）の首に首掛け型送風装置（１）を装着した際に、第１の吸送気口（２２、３２）が装着者（Ｘ）の胸部に向かう方向に開口されている。そうすると、首掛け型送風装置（１）は、装着者（Ｘ）が着用している衣服内に籠る熱気を吸気ないし排気することができ、装着者（Ｘ）は頭部に清涼感を得ることができるだけでなく、身体全体で清涼感を得ることができる。従って、請求項２に係る首掛け型送風装置は、装着者の首に装着して装着者の身体への送風を行う首掛け型送風装置であって、装着者が着用している衣服内に籠る熱気を緩和することができる首掛け型送風装置を提供するという本考案の解決しようとする第２の課題を解決することができる。
【００１７】
この点、請求項３に係る首掛け型送風装置（１）は、延伸部材（８）が設けられているため、装着者（Ｘ）の首に首掛け型送風装置（１）を装着した際に、第１の吸送気口（２２、３２）を装着者（Ｘ）の胸部に位置させることができることから、上記の第２の課題を解決するのに好適である。
【００１８】
もちろん、本考案に係る首掛け型送風装置（１）は、据え置き型の送風装置とは異なり、常に装着者に近い位置から送風することができるため、特に装着者が移動する際や外出する際における暑さ対策として好適である。また、首掛け型送風装置（１）は、送風機を取り付けた衣類等とは異なり、装着者が首に装着するだけであるから、簡便に着脱することができるとともに、装着者の身体に負担がかかることも少ないため、好適である。
【図面の簡単な説明】
【００１９】
【図１】本考案の第１実施形態に係る首掛け型送風装置の斜視図である。
【図２】本考案の第１実施形態の別の態様に係る首掛け型送風装置の斜視図である。
【図３】本考案の第１実施形態に係る首掛け型送風装置の作用効果説明図である。
【図４】本考案の第２実施形態に係る首掛け型送風装置の斜視図である。
【図５】本考案の第２実施形態に係る首掛け型送風装置の作用効果説明図である。
【図６】本考案の第３実施形態に係る首掛け型送風装置の斜視図である。
【考案を実施するための形態】
【００２０】
以下に、まず、本考案の一実施形態に係る首掛け型送風装置の構造について添付図面に基づいて説明する。
【００２１】
本考案の一実施形態に係る首掛け型送風装置（１）は、図１ないし６に図示するように、装着者の首に装着して装着者の身体への送風を行う首掛け型送風装置であって、第１の吸送気ユニット（２）と、第２の吸送気ユニット（３）と、外被（４）と、通風路（５）と、電源部（６）と、操作部（７）とを有している。
【００２２】
図１ないし６に図示するように、首掛け型送風装置（１）を装着者（Ｘ）の首に装着した際に、第１の吸送気ユニット（２）は、装着者（Ｘ）の首の一側側に位置し、第２の吸送気ユニット（３）は装着者（Ｘ）の首の他側側に位置するように、首掛け型送風装置（１）において配置されており、装着者（Ｘ）の首の両側から吸気及び／又は送気を行うようになっている。また、第１の吸送気ユニット（２）及び第２の吸送気ユニット（３）は、それぞれ吸送風機（２１、３１）と、第１の吸送気口（２２、３２）と、第２の吸送気口（２３、３３）とを有している。
【００２３】
吸送風機（２１、３１）は、第１の吸送気口（２２、３２）を介して首掛け型送風装置（１）の内部に外部から気体を取り込み、第２の吸送気口（２３、３３）を介して首掛け型送風装置（１）の内部から外部へと風を送り出し、及び／又は、第２の吸送気口（２３、３３）を介して首掛け型送風装置（１）の内部に外部から気体を取り込み、第１の吸送気口（２２、３２）を介して首掛け型送風装置（１）の内部から外部へと風を送り出すための吸送風機である。ここで、吸送風機（２１、３１）としては、例えば、各種の公知の電動式小型ファンが提供されているところ、外被（４）内に収納し得る大きさからなる電動式小型ファンを用いることができる。また、吸送風機（２１、３１）としては、羽根が向いている方向を逆にすること等によって、風を送る方向を反対にすることができる電動式小型ファンを用いることが好適である。
【００２４】
第１の吸送気口（２２、３２）は、首掛け型送風装置（１）の内部に外部から気体を吸い込むための入口であり、及び／又は首掛け型送風装置（１）の内部から外部へと気体を送り出すための出口である。ここで、本考案の第１実施形態に係る首掛け型送風装置（１）にあっては、図１ないし３に図示するように、第１の吸送気口（２２、３２）は、吸送風機（２１、３１）における開口であって、首掛け型送風装置（１）の外部に面している。また、本考案の第２実施形態に係る首掛け型送風装置（１）にあっては、図４及び５に図示するように、外被（４）に設けられた複数のスリットである。もっとも、第１の吸送気口（２２、３２）の個数及び態様は、特にこれらに限定されるものではない。また、第１の吸送気口（２２、３２）は、装着者（Ｘ）の首に首掛け型送風装置（１）を装着した際に、装着者（Ｘ）の胸部に向かう方向に開口されている。
【００２５】
ここで、本考案の第３実施形態に係る首掛け型送風装置（１）にあっては、図６に図示するように、装着者（Ｘ）の首に首掛け型送風装置（１）を装着した際に、第１の吸送気口（２２、３２）が装着者（Ｘ）の胸部に位置するように延伸するための延伸部材（８）が設けられている。延伸部材（８）は、例えば、ゴム製のホースといった柔軟性のある管状の部材を用いることができ、第１の吸送気ユニット（２）と第２の吸送気ユニット（３）とにそれぞれ連結されている。
【００２６】
第２の吸送気口（２３、３３）は、首掛け型送風装置（１）の内部に外部から気体を吸い込むための入口であり、及び／又は首掛け型送風装置（１）の内部から外部へと気体を送り出すための出口であって、装着者（Ｘ）の首に首掛け型送風装置（１）を装着した際に、装着者（Ｘ）の頭部に向かう方向に開口させている。ここで、本考案の第１実施形態に係る首掛け型送風装置（１）にあっては、図１ないし３に図示するように、第２の吸送気口（２３、３３）は、具体的には外被（４）に穿設された孔部であって、第１の吸送気ユニット（２）及び第２の吸送気ユニット（３）のそれぞれに、矩形状の孔部が外被（４）の長さ方向に沿って３つずつ左右に２列設けられている。また、本考案の第２実施形態及び第３実施形態に係る首掛け型送風装置（１）にあっては、図４及び５に図示するように、第２の吸送気口（２３、３３）は、吸送風機（２１、３１）における開口であって、首掛け型送風装置（１）の外部に面している。もっとも、第２の吸送気口（２３、３３）の個数及び態様は、特にこれらに限定されるものではない。
【００２７】
外被（４）は、図１ないし６に図示するように、首掛け型送風装置（１）を構成する部材を内蔵するとともに、通風路（５）をその内部に設けるための中空の部材であって、装着者（Ｘ）の首を取り囲める形状に形成されている。ここで、外被（４）は、具体的には、両端を閉塞した略円筒状の部材であって、互いに向き合う両端部が広げられるように弾性変形可能に形成されている。尚、外被（４）は、図では一体的に形成されているが、複数個の部材を結合させて形成することももちろん可能である。
【００２８】
通風路（５）は、図１ないし６に図示するように、第１の吸送気ユニット（２）と第２の吸送気ユニット（３）との間で風を流通させるための通路であって、第１の吸送気ユニット（２）と第２の吸送気ユニット（３）とを連結している。通風路（５）は、具体的には、第１の吸送気ユニット（２）と第２の吸送気ユニット（３）とを連結する外被（４）内の空洞である。
【００２９】
電源部（６）は、図１ないし６に図示するように、吸送風機（２１、３１）等を稼働させるための電力を供給するための部位である。例えば、公知の各種の乾電池や蓄電池を外被（４）に内蔵することによって、電源部（６）とすることができる。あるいは、図２に図示するように、外部から電力を引き入れるための電源コードのプラグを差し込むコンセントを設けることによって、電源部（６）とすることも可能である。
【００３０】
操作部（７）は、図１ないし６に図示するように、装着者（Ｘ）が首掛け型送風装置（１）を操作するための部位であって、吸送風機（２１、３１）のスイッチの入切、吸送風機（２１、３１）からの送風の強弱の調節、あるいは送風の方向等を指示するための部位である。
【００３１】
以上が、本考案の一実施形態に係る首掛け型送風装置（１）の構造についての説明である。次に、本考案の一実施形態に係る首掛け型送風装置（１）の使用態様について添付図面に基づいて説明する。
【００３２】
まず、装着者（Ｘ）は、首掛け型送風装置（１）の使用を開始するとき、図３及び５に図示するように、外被（４）の内周面を自らの首の外周面に接するようにして、首に首掛け型送風装置（１）を装着する。次に、装着者（Ｘ）は、操作部（７）を操作して、吸送風機（２１、３１）のスイッチを入れるとともに、吸送風機（２１、３１）による送風の強弱の調節や送風の方向の決定等を適宜行う。
【００３３】
そうすると、本考案の第１実施形態に係る首掛け型送風装置（１）は、図３に図示するように、吸送風機（２１、３１）が、第１の吸送気口（２２、３２）を介して首掛け型送風装置（１）の内部に外部から気体を吸い込み、該気体が第２の吸送気口（２３、３３）を介して首掛け型送風装置（１）の内部から外部へと送り出されることになる。また、本考案の第２実施形態に係る首掛け型送風装置（１）は、図５に図示するように、吸送風機（２１、３１）が、第１の吸送気口（２２、３２）を介して首掛け型送風装置（１）の外部から内部に吸い込まれた気体を、第２の吸送気口（２３、３３）を介して首掛け型送風装置（１）の内部から外部へと風を送り出すことになる。そうすると、装着者（Ｘ）は、特に首や顔といった頭部に清涼感を得ることができる。
【００３４】
このとき、首掛け型送風装置（１）は、通風路（５）が第１の吸送気ユニット（２）と第２の吸送気ユニット（３）との間を連結しているため、両ユニットの間で風が流通することになる。そのため、首掛け型送風装置（１）は、第１の吸送気口（２２、３２）又は第２の吸送気口（２３、３３）を介して首掛け型送風装置（１）の内部から装着者（Ｘ）の身体に送り出される風の強さが増大し、装着者（Ｘ）が満足する清涼感をその身体に得ることができる。
【００３５】
また、首掛け型送風装置（１）は、装着者（Ｘ）の首に首掛け型送風装置（１）を装着した際に、第１の吸送気口（２２、３２）が装着者（Ｘ）の胸部に向かう方向に開口されている。そのため、首掛け型送風装置（１）は、装着者（Ｘ）が着用している衣服内に籠る熱気を吸排気することができ、装着者（Ｘ）は頭部に清涼感を得ることができるだけでなく、身体全体で清涼感を得ることができる。
【００３６】
ここで、本考案の第３実施形態に係る首掛け型送風装置（１）は、図６に図示するように、延伸部材（８）が設けられているため、装着者（Ｘ）の首に首掛け型送風装置（１）を装着した際に、第１の吸送気口（２２、３２）を装着者（Ｘ）の胸部に位置させるようにすることができる。そうすると、吸送風機（２１、３１）が、第２の吸送気口（２３、３３）を介して首掛け型送風装置（１）の内部に外部から気体を吸い込み、第１の吸送気口（２２、３２）を介して首掛け型送風装置（１）の内部から外部へと風を送り出すことにより、装着者（Ｘ）が着用している衣服内に直接送風することができ、好適である。
【００３７】
そして、装着者（Ｘ）は、首掛け型送風装置（１）の使用を終了するとき、図３及び５に図示するように、操作部（７）を操作して、吸送風機（２１、３１）のスイッチを切り、外被（４）の内周面を自らの首の外周面から引き離すようにして、首掛け型送風装置（１）を首から取り外すのである。
【符号の説明】
【００３８】
１  首掛け型送風装置
２  第１の吸送気ユニット
２１  吸送風機
２２  第１の吸送気口
２３  第２の吸送気口
３  第２の吸送気ユニット
３１  吸送風機
３２  第１の吸送気口
３３  第２の吸送気口
４  外被
５  通風路
６  電源部
７  操作部
８  延伸部材
Ｘ  装着者
【図１】
0003220810.tif 000003
【図２】
0003220810.tif 000004
【図３】
0003220810.tif 000005
【図４】
0003220810.tif 000006
【図５】
0003220810.tif 000007
【図６】
0003220810.tif 000008